(57)【要約】【課題】  樋部から清掃対象物を清掃、除去する作業を容易に行えるバルコニを提供すること。【解決手段】  バルコニの床は、水勾配方向へ並設された複数のデッキ部材２７，２８で形成され、水勾配方向の最も下側に配置されたデッキ部材２８には、上向きに開口した凹部による樋部４０が形成されている。樋部４０がデッキ部材２８に設けられていることにより、この樋部４０から清掃対象物を清掃、除去する作業を容易に行える。樋部４０には、樋カバー４５が取り外し可能に配置され、樋カバー４５の上面部４５Ａは踏み付け可能であり、また、樋カバー４５には、孔４６や切り欠き４７による水通過部が設けられている。【選択図】  図４
2006070520.tif 000002
【特許請求の範囲】
【請求項１】
床が少なくとも１個のデッキ部材によって形成されているバルコニにおいて、前記デッキ部材に樋部が設けられていることを特徴とするバルコニ。
【請求項２】
請求項１に記載のバルコニにおいて、前記樋部は上向きに開口した凹部であり、この凹部に、踏み付け可能な上面部を備えた樋カバーが配設されていることを特徴するバルコニ。
【請求項３】
請求項２に記載のバルコニにおいて、前記樋カバーの前記上面部は、前記デッキ部材における前記凹部が形成されていない箇所の上面部と同一高さ又は略同一高さになっていることを特徴とするバルコニ。
【請求項４】
請求項２又は３に記載のバルコニにおいて、前記樋カバーには、水を前記凹部へ流入させるための孔等による水通過部が形成されていることを特徴とするバルコニ。
【請求項５】
請求項２〜４のいずれかに記載のバルコニにおいて、前記樋カバーは前記凹部に対して取り外し可能となっていることを特徴とするバルコニ。
【請求項６】
請求項１〜５のいずれかに記載のバルコニにおいて、前記床を形成する前記デッキ部材は前記床の水勾配方向に複数個並設され、これらのデッキ部材のうち、前記水勾配方向の最も下側に配置されたデッキ部材に前記樋部が設けられていることを特徴とするバルコニ。
【請求項７】
請求項６に記載のバルコニにおいて、前記水勾配方向の最も下側に配置された前記デッキ部材はバルコニ桁梁部材とバルコニ内外方向に隣接しており、このバルコニ桁梁部材にはバルコニ内側方向に延出された水切り部が設けられ、この水切り部の下面に、前記水勾配方向の最も下側に配置された前記デッキ部材のバルコニ外側方向の先端部が結合されていることを特徴とするバルコニ。
【発明の詳細な説明】
【技術分野】
【０００１】
本発明は、住宅等の建物に付設又は建物の一部として施工されるバルコニに関する。
【背景技術】
【０００２】
下記の特許文献１には、住宅等の建物に設けられるバルコニの排水構造が示されている。このバルコニの排水構造では、バルコニの骨組みを形成している桁梁部材に樋部材を設け、この樋部材に、バルコニの床を形成しているデッキ部材の上面に沿って流下した雨水をこのデッキ部材の先端から落下させ、雨水を樋部材を経てバルコニの外部へ排出させている。
【特許文献１】特開２００２−５４２７５（段落番号００３８、段落番号００４１、段落番号００４９、図１、図３）
【発明の開示】
【発明が解決しようとする課題】
【０００３】
樋部材等による樋部を有するバルコニでは、雨水等の水と共に樋部に達したごみや異物等の清掃対象物が樋部に溜まった場合には、この清掃対象物を清掃、除去する作業を行わなければならないが、上記のバルコニの排水構造によると、樋部材は、デッキ部材よりも下側においてバルコニの桁梁部材に設けられているため、清掃対象物を清掃、除去する作業に手間がかかることになる。
【０００４】
本発明の目的は、樋部から清掃対象物を清掃、除去する作業を容易に行えるようになるバルコニを提供するところにある。
【課題を解決するための手段】
【０００５】
本発明に係るバルコニは、床が少なくとも１個のデッキ部材によって形成されているバルコニにおいて、前記デッキ部材に樋部が設けられていることを特徴とするものである。
【０００６】
このバルコニによると、雨水等の水が流れる樋部は、バルコニの床を形成しているデッキ部材に設けられているため、樋部にごみや異物等の清掃対象物が溜まっても、デッキ部材を清掃する場合と同様にして、この清掃対象物を清掃、除去する作業を行えることになり、清掃、除去作業の容易化を図ることができる。
【０００７】
本発明において、デッキ部材に設ける樋部は、任意な形状、構造のものでよく、例えば、全部又は一部が閉鎖された上面部を有していてバルコニの床の水勾配方向の上流側に向かって開口したものでもよく、上向きに開口した凹部等でもよい。
【０００８】
また、デッキ部材に設ける樋部を上向きに開口した凹部とする場合には、この凹部に、この凹部の底部から立ち上がったフィン部を設けたり、このフィン部と、フィン部の上端から水平方向等に延びる上面部とからなるＴ字状や逆Ｌ字状等のステップ部を設けたりすることで、踏み付け可能なこれらのフィン部やステップ部により、幅寸法が小さい又は大きい樋部の部分で立つことや歩行できるようにしてもよい。
【０００９】
さらに、デッキ部材に設ける樋部を上向きに開口した凹部とする場合には、この凹部に、踏み付け可能な上面部を備えた樋カバーを配設することが好ましい。
【００１０】
これによると、樋部が上向きに開口した凹部としてデッキ部材に設けられていても、樋部に踏み付け可能となっている上面部を備えた樋カバーが配設されることにより、樋部の位置で立つことや歩行すること等を容易に行えるようになり、この結果、バルコニの有効面積を実質的に拡大することができる。なお、この樋カバーは、上面部と脚部とを有するものでもよく、あるいは、上面部のみからなり、この上面部が、上述のように凹部の底部から立ち上がったフィン部やステップ部の上に載せられるものでもよい。
【００１１】
また、このように樋部となっている凹部に踏み付け可能な上面部を備えた樋カバーを配設する場合には、樋カバーの踏み付け可能な上面部の高さ位置は任意に設定してよい。その一例は、樋カバーの上面部を、デッキ部材における凹部が形成されていない箇所の上面部と同一高さ又は略同一高さにすることである。
【００１２】
これによると、樋カバーの上面部と、デッキ部材における凹部が形成されていない箇所の上面部との間で大きな段差が生じないため、これらの間に跨る良好な歩行性を確保することができる。
【００１３】
なお、樋カバーの上面部を、デッキ部材における凹部が形成されていない箇所の上面部と同一高さ又は略同一高さにすることは、凹部が形成されている前記デッキ部材に水勾配が設けられている場合には、この水勾配を考慮した上でのことでもよく、考慮しない上でのことでもよい。また、樋カバーの上面部は平坦となっているものでもよく、幅方向の中央等が低くなって又は高くなって傾斜あるいは湾曲したものでもよい。
【００１４】
また、樋カバーには、雨水等の水を前記凹部へ流入させるための孔等による水通過部を形成することが好ましい。
【００１５】
これによると、凹部に樋カバーが配設されていても、雨水等の水を水通過部を通過させて凹部へ流入させることができ、樋カバーは水が凹部へ流入する際の障害とはならない。
【００１６】
このような水通過部は、孔でもよく、溝でもよく、切り欠き等でもよく、任意な形態のものでよい。
【００１７】
また、水通過部は樋カバーの任意な箇所に形成することができ、樋カバーが、例えば、前記上面部と前記脚部とを有するものである場合には、水通過部は、上面部だけに形成してもよく、脚部だけに形成してもよく、上面部と脚部の両方に形成してもよい。また、上述のように、上面部が幅方向の中央等が低くなって傾斜あるいは湾曲している場合には、その低い箇所に水通過部を形成してもよい。
【００１８】
さらに、樋カバーは前記デッキ部材と一体に形成されたもの、すなわちデッキ部材の一部となっているものでもよく、あるいは、デッキ部材とは別部材になっているものでもよい。
【００１９】
樋カバーが後者である場合には、この樋カバーをデッキ部材の前記凹部に対して取り外し不能に配置してもよく、取り外し可能に配置してもよい。
【００２０】
樋カバーをデッキ部材の凹部に対して取り外し可能とすると、樋部である凹部に清掃対象物が溜まっても、樋カバーを凹部から取り外すことにより、清掃対象物の清掃、除去作業を容易に行えることになる。
【００２１】
本発明は、バルコニの床が１個のデッキ部材で形成される場合や複数個のデッキ部材で形成される場合に適用できるが、バルコニの床がこの床の水勾配方向に複数個並設されるデッキ部材によって形成される場合には、全部又は一部のデッキ部材に前記樋部を設けてもよいが、水勾配方向の最も下側に配置されたデッキ部材に樋部を設けることが好ましい。
【００２２】
これによると、樋部を設けなければならないデッキ部材の個数を削減でき、それだけこれらのデッキ部材で形成されるバルコニの床の全体的な平坦性を確保できるとともに、それぞれのデッキ部材の上面部を水勾配方向下流側へ流下した雨水等の水を、水勾配方向の最も下側に配置されたデッキ部材に集めてこのデッキ部材の樋部に落下させることができ、雨水等の水の排水処理を１個のデッキ部材に設けた樋部によって行える。
【００２３】
なお、このように水勾配方向の最も下側に配置されたデッキ部材に樋部を設ける場合において、この水勾配の下り方向は任意な方向でよい。例えば、第１の例は、建物の外壁側が最も高くて水勾配がバルコニの張り出し方向へ下り傾斜し、建物の外壁から最も遠い位置が水勾配の最も低い位置となっていることであり、第２の例は、バルコニの張り出し方向の途中部又は建物の外壁の延設方向である左右方向の途中部が最も高い位置となっていてその両側方向へ次第に高さが低くなっていることであり、第３の例は、バルコニの張り出し方向又は建物の外壁の延設方向である左右方向に高い位置と低い位置がそれぞれ複数設けられ、互いに隣接する高い位置と低い位置とが水勾配をもって連続してことである。第１の例の場合には、樋部の個数は１個となり、第２及び第３の場合には、それぞれの最も低い位置に配置されたデッキ部材に樋部が設けられるため、樋部の個数は複数個となる。
【００２４】
また、以上のように、バルコニの床を形成するデッキ部材がこの床の水勾配方向に複数個並設され、これらのデッキ部材のうち、水勾配方向の最も下側に配置されたデッキ部材に樋部を設ける場合において、水勾配方向の最も下側に配置されたデッキ部材がバルコニ桁梁部材とバルコニ内外方向に隣接している場合には、このバルコニ桁梁部材にバルコニ内側方向に延出された水切り部を設け、この水切り部に下面に、水勾配方向の最も下側に配置されたデッキ部材のバルコニ外側方向の先端部を結合することが好ましい。
【００２５】
これによると、バルコニ桁梁部材と、水勾配方向の最も下側に配置されたデッキ部材との間の良好な雨仕舞いを確保でき、このデッキ部材に樋部が設けられているため、バルコニ桁梁部材の上やこの桁梁部材に設けられた水切り部の上に降った雨水を樋部へ導くことができる。
【００２６】
このようなバルコニ桁梁部材の水切り部は、バルコニ桁梁部材の一部として設けてもよく、バルコニ桁梁部材とは別部材として用意し、バルコニ桁梁部材に結合してもよい。
【００２７】
以上の本発明は、住宅等の建物に後付けで付設されるバルコニにも適用でき、建物の建築と同時に一体施工されるバルコニにも適用できる。また、本発明は、支柱で支持されないバルコニと支柱で支持されるバルコニの両方に適用できる。
【発明の効果】
【００２８】
本発明によると、樋部から清掃対象物を清掃、除去する作業を容易に行えるという効果を得られる。
【発明を実施するための最良の形態】
【００２９】
以下に本発明を実施するための形態を図面に基づいて説明する。図１は、本発明の一実施形態に係るバルコニ１の側断面図であり、図２は、図１のＳ２−Ｓ２線断面図である。また、図３は、図２の平面図である。
【００３０】
図１で示されているように、バルコニ１は支柱で支持されていないカンティバルコニであり、このバルコニ１が設置される住宅の外壁２は、外壁２に沿って水平に延びる住宅の骨組み材である梁部材３に胴縁４を介して取り付けられたサイディング５で形成されている。梁部材３の上部には、バルコニ１へ出入りするための出入口用開口部６の外枠を形成するサッシ７が配置され、このサッシ７に嵌め込まれている図示外の障子を開閉することにより、住宅の居室からバルコニ１へ開口部６を通って出入りすることができる。
【００３１】
バルコニ１の骨組みは、図１で示されているバルコニ桁梁部材１０と、図１及び図２で示されているバルコニ妻梁部材１１とで構成され、バルコニ１の左右両側に設けられている妻梁部材１１（図２には、これらの妻梁部材１１のうちの一方が示されている）の基端部は、梁部材３から胴縁４とサイディング５を貫通して住宅の外側へ延びている図示外のアーム部材に結合されており、このように、このアーム部材を介して住宅の躯体である梁部材３に基端部が結合されている左右２本の妻梁部材１１の先端部に桁梁部材１０が架設され、桁梁部材１０と妻梁部材１１との結合は、図３で示されたアングル材による結合部材１２によって行われている。
【００３２】
図１と図２から分かるように、桁梁部材１０と妻梁部材１１には、手摺り１４用の支柱１５が立設され、これらの支柱１５の上端には手摺り１４用のトップレール１６が架け渡されている。
【００３３】
図１で示されているように、住宅の外壁２には根太受け部材２０が取り付けられ、この根太受け部材２０と対向している桁梁部材１０のバルコニ内側の面には、バルコニ内側方向に延出した根太受け部２１が引き抜き成形品又は押し出し成形品である桁梁部材１０の一部として形成されている。それぞれがバルコニ１の左右方向（図１に対する直角方向）に延びる長さを有している根太受け部材２０と根太受け部２１の上には、バルコニ１の内外方向への長さ、言い換えると、住宅の外壁２からのバルコニ２の張り出し方向への長さを有する根太２２の両端部が載せられ、この根太２２は、根太受け部材２０と根太受け部２１にビス等による止着具２３で止着されている。このような根太２２は、図２及び図３で示されているように、バルコニ１の張り出し方向と直交するバルコニ１の左右方向に複数本設けられている。
【００３４】
そして、図１で示されているように、これらの根太２２の上には、バルコニ１の床を形成する複数個のデッキ部材、本実施形態では３個のデッキ部材２６〜２８が載せられている。これらのデッキ部材２６〜２８は長さ方向がバルコニ１の左右方向となっている細幅部材であり、これらのデッキ部材２６〜２８はバルコニ１の内外方向に並設されている。それぞれの根太２２は、根太受け部材２０と根太受け部２１の高さ位置の差に基づいてバルコニ１の張り出し方向に下り傾斜しているため、デッキ部材２６〜２８は、根太２２の下り傾斜に基づく水勾配をもって並設されている。言い換えると、デッキ部材２６〜２８で形成されているバルコニ１の床は、バルコニ１の張り出し方向へ下り傾斜した水勾配を有している。
【００３５】
本実施形態では、３個のデッキ部材２６〜２８のうち、住宅の外壁２から最も遠いデッキ部材２８は、例えば、アルミ合金等による金属製であり、他のデッキ部材２６及び２７は合成樹脂製であり、これらのデッキ部材２６及び２７は中空部材である。なお、全部のデッキ部材２６〜２８が合成樹脂製でもよく、アルミ合金等による金属製でもよい。
【００３６】
また、３個のデッキ部材２６〜２８は、ビス等の止着具２９で根太２２に止着されているとともに、互いに隣接配置されているデッキ部材２６とデッキ部材２７、及びデッキ部材２７とデッキ部材２８は、バルコニ１の内外方向の重複幅をもって重なり合っている。また、止着具２９で根太２２に止着されているデッキ部材２６及び２７の箇所は、上向きに開口した溝となっており、デッキ部材２６，２７の長さ方向の端部まで連続していてこの端部の位置で開口しているこれらの溝には溝カバー３０が配置されている。さらに、デッキ部材２６と住宅の外壁２との間には、水切り部材３１が配置されている。
【００３７】
水切り部材３１を含むバルコニ１の床に雨が降ると、この床を形成しているデッキ部材２６〜２８は、上述したように、バルコニ１の張り出し方向へ下り傾斜した水勾配をもって並設されているため、雨水はデッキ部材２６〜２８の上面部に沿ってバルコニ１の外側方向へ流下し、水勾配方向の最も下側に配置されたデッキ部材２８の下流側の部分に集まる。
【００３８】
図４は、このデッキ部材２８及びその周辺を示す図１の一部拡大図である。デッキ部材２８の水勾配方向上流側の端部２８Ａは、前記止着具２９で根太２２に止着されている。デッキ部材２７の水勾配方向下流側の端部２７Ａは、デッキ部材２８の上面部２８Ｄの上に防水部材３３Ａを介して載せられ、デッキ部材２８に、端部２８Ａよりも水勾配方向下流側に形成されている起立部２８Ｈは、デッキ部材２７に形成されている下段部２７Ｂの下面に防水部材３３Ｂを介して当接している。そして、デッキ部材２８の起立部２８Ｈよりも水勾配方向下流側は溝３２となっており、この溝３２は、上記溝カバー３０が配置されているデッキ部材２６，２７の溝と同じく、デッキ部材２８の長さ方向の端部まで連続し、この端部の位置で開口している。また、デッキ部材２８の脚部２８Ｃの上端に形成されている上記上面部２８Ｄは、歩行可能な面となっている。
【００３９】
なお、デッキ部材２７とデッキ部材２８との以上説明した連続構造において、防水部材３３Ａ、３３Ｂを省略してもよい。
【００４０】
デッキ部材２８には、上面部２８Ｄよりも水勾配方向下流側において、樋部４０が形成され、この樋部４０は上向きに開口した凹部となっている。このため、樋部４０は、水勾配方向下流側と上流側の立上り壁４０Ａと４０Ｂと、これらの立上り壁４０Ａと４０Ｂの間の底面部４０Ｃとからなる。このような凹部による樋部４０は、バルコニ１の左右方向に延びているデッキ部材２８の全長に亘って形成されている。デッキ部材２８には、水勾配方向下流側の立上り壁４０Ａと連続していてバルコニ１の内側へ下り傾斜した傾斜面部２８Ｅが設けられ、この傾斜面部２８Ｅの上端と連続している起立部２８Ｆの端部は、デッキ部材２８のバルコニ外側方向の先端部２８Ｇとなっている。この先端部２８Ｇは、バルコニ１の内側に向かって開口した断面コ字形状となっている。
【００４１】
デッキ部材２８とバルコニ内外方向に隣接している前述したバルコニ桁梁部材１０には、この桁梁部材１０の上面から一体にバルコニ１の内側に延びる水切り部１０Ａが設けられ、デッキ部材２８の先端部２８Ｇはこの水切り部１０Ａの下側に配置されているとともに、先端部２８Ｇは水切り部１０Ａの下面に結合具４１で結合されており、先端部２８Ｇと水切り部１０Ａとの結合は、先端部２８Ｂと桁梁部材１０のバルコニ内側の面１０Ｂとの間に防水部材４２が介設されてなされている。なお、先端部２８Ｇと水切り部１０Ａとの間に防水部材を配置してもよい。
【００４２】
デッキ部材２８の凹部による樋部４０には、デッキ部材２８の全長又は略全長に亘る長さを有する樋カバー４５が取り外し可能に配置されている。この樋カバー４５は、例えば、アルミ合金による金属製であって、デッキ部材２８と同じ材料で形成されている。また、樋カバー４５は、上面部４５Ａと、水勾配方向に離れている一対の脚部４５Ｂと、上面部４５Ａの水勾配方向両側の端部に設けられた垂下部４５Ｃとからなる。また、上面部４５Ａと脚部４５Ｂには水通過部である孔４６が形成され、脚部４５Ｂにおける樋部４０の底面部４０Ｃと接触している下端には、水通過部である切り欠き４７が形成されている。
【００４３】
樋カバー４５の上面部４５Ａは踏み付け可能な強度を有し、脚部４５Ｂもこの踏み付け力に対する充分な強度を有し、このため、人が樋カバー４５の上に立つことや歩行することが可能である。また、樋カバー４５を樋部４０に配置したときにおける上面部４５Ａの高さ位置は、図４で示されているように、デッキ部材２８自身が有している水勾配を考慮しても、また考慮しなくても、デッキ部材２８の上記上面部２８Ｄの高さ位置と略一致している。したがって、人がバルコニ１の床を歩行したとき、これらの上面部４５Ａと２８Ｄの間で殆ど高さのギャップを感じることがない。
【００４４】
なお、樋カバー４５を樋部４０に配置したときにおける上面部４５Ａの高さ位置を、デッキ部材２８の上面部２８Ｄの高さ位置と一致させてもよい。
【００４５】
図２で示されているとおり、前述した妻梁部材１１には、バルコニ１の内側において、上樋部材５０が取り付けられている。この上樋部材５０は、図１で示されているように、デッキ部材２６〜２８に跨るバルコニ１の張り出し方向への長さを有し、その前後の端部５０Ａ，５０Ｂは塞がれている。また、上樋部材５０は、図２で示されているように、妻梁部材１１のバルコニ内側の面１１Ａに結合された外側壁部５０Ｃと、上端部がデッキ部材２６〜２８に、下端部が桁梁部材１０の前記根太受け部２１及び図１で示されている前記根太受け部材２０にそれぞれ結合された内側壁部５０Ｄと、外側壁部５０Ｃの下端部と内側壁部５０Ｄの高さ中間部との間に架設されている底面部５０Ｅとからなる。
【００４６】
このような形状となっている上樋部材５０は、図１で示されているとおり、バルコニ１の外側方向へ下り傾斜した水勾配を有している。そして、上樋部材５０の底面部５０Ｅの水勾配方向下流端部又はその近傍には、下側へ延びる短寸の縦樋部材５１が取り付けられている。
【００４７】
また、図２で示されているように、上樋部材５０の外側壁部５０Ｃの上端部にはカバー部材５２が取り付けられ、デッキ部材２６〜２８の上方においてバルコニ１の内側へ延出しているこのカバー部材５２によって上樋部材５０の上方が塞がれている。
【００４８】
図２で示すように、上樋部材５０の下側には下樋部材６０が配置され、バルコニ１の張り出し方向へ下り勾配となって配置されているこの下樋部材６０は、妻梁部材１１の下面を下側から覆うとともに、上樋部材５０を越えてバルコニ１の内側方向に達する幅寸法を有し、下樋部材６０の幅方向両側の立上り端部６０Ａ，６０Ｂのうち、バルコニ１の外側方向の立上り端部６０Ａは妻梁部材１１の下面に結合され、バルコニ１の内側方向の立上り端部６０Ｂは、桁梁部材１０の前記根太受け部２１と、図１で示されている前記根太受け部材２０とに結合されている。また、下樋部材６０は、図１で示されているように、桁梁部材１０の前面１０Ｃ（この前面１０Ｃは妻梁部材１１の先端面と一致している）から住宅の前記外壁２の近くまで達する長さを有し、この長さは上樋部材５０の長さよりも長い。そして、下樋部材６０の前端部６０Ｃは塞がれており、後端部もキャップ部材６１で塞がれている。
【００４９】
下樋部材６０の底面部６０Ｄには、桁梁部材１０の近くにおいて、樋部材６２が接続され、バルコニ１の下面から露出しているこの樋部材６２には、住宅の前記外壁２に沿って下側へ延びる縦樋部材６４が中間樋部材６３を介して接続されている。なお、下樋部材６０の水勾配を住宅の外壁２側へ下り勾配とすることにより、この外壁２の近くにおいて樋部材６２を下樋部材６２に接続してもよい。
【００５０】
以上の上樋部材５０及び下樋部材６０は、バルコニ１の左右両側に２本ある妻梁部材１１ごとに設けられ、また、樋部材６２〜６４も妻梁部材１１ごとに設けられている。
【００５１】
前述したように、バルコニ１の床に雨が降ると、雨水はデッキ部材２６〜２８の上面部に沿ってバルコニ１の外側方向へ流下することになり、水勾配方向の最も下側に配置されたデッキ部材２８に達した雨水は、このデッキ部材２８に上向きに開口した凹部として形成されている前記樋部４０に流れ落ちる。この樋部４０には樋カバー４５が配置されているが、この樋カバー４５は、樋部４０よりもバルコニ１の内外方向（前記水勾配方向及びバルコニ１の張り出し方向）の幅寸法が小さく、かつ、上面部４５Ａや脚部４５Ｂには、水通過部となっている孔４６、切り欠き４７が形成されているため、樋カバー４５は雨水が樋部４０に流入する際の障害にはならない。
【００５２】
樋部４０に流れ落ちた雨水は、樋部４０がデッキ部材２８の長さ方向両端部で開口しているためこれらの開口端部から落下し、その下に配置されている図２の上樋部材５０に達する。そして、雨水は、前記短寸の縦樋部材５１から下樋部材６０に流下し、この下樋部材６０から樋部材６２〜６４を経てバルコニ１の外部に排出される。
【００５３】
また、たとえ、前記溝カバー３０が配置されているデッキ部材２６，２７の前記溝や、デッキ部材２８に形成されている溝３２、デッキ部材２６とデッキ部材２７との間の隙間に雨水が侵入しても、これらの溝や隙間は、樋部４０と同様に、それぞれのデッキ部材２６〜２８の長さ方向両端部まで延びているため、これらの溝や隙間に侵入した雨水は、溝や隙間の長さ方向端部からデッキ部材２６〜２８の下側に配置されている上樋部材５０へ落下し、これ以後、上述の雨水と同様にして下樋部材６０等を経てバルコニ１の外部に排出される。
【００５４】
また、図２で説明したように、上樋部材５０の外側壁部５０Ｃは妻梁部材１１のバルコニ内側の面１１Ａに結合されているが、雨水がこれらの外側壁部５０Ｃと面１１Ａとの間に侵入しても、この下には、上樋部材５０の長さの全体をカバーして配置されている下樋部材６０が設けられているため、このような雨水も下樋部材６０等を経てバルコニ１の外部に排出される。
【００５５】
さらに、桁梁部材１０と妻梁部材１１との接合部の隙間に雨水が侵入しても、この隙間の下端から落下した雨水は下樋部材６０の上に落ちることになるため、このような雨水も下樋部材６０等を経てバルコニ１の外部へ排出される。
【００５６】
なお、左右寸法が大きいバルコニについては、前述した左右２本の妻梁部材１１の間にこれらの妻梁部材１１と平行に中間梁部材が設けられ、妻梁部材１１と同じく基端部がアーム部材を介して住宅の梁部材３に結合されるこの中間梁部材と一方の妻梁部材１１との間及び中間梁部材と他方の妻梁部材１１との間に、それぞれ桁梁部材が架設される。そして、凹部による樋部４０が形成されているデッキ部材２８を含むデッキ部材２６〜２８も中間梁部材と一方の妻梁部材１１との間及び中間梁部材と他方の妻梁部材１１との間に配置され、中間梁部材の左右両側に、図２で示した妻梁部材１１に対する構造と同様な構造によって上樋部材５０と下樋部材６０が配置され、これらの下樋部材６０に樋部材６２〜６４が接続されることにより、中間梁部材の左右両側に配置されたそれぞれのデッキ部材２８の樋部４０に落下した雨水は、これらの樋部材５０，６０，６２〜６４を経てバルコニ１の外部に排出される。
【００５７】
以上説明した本実施形態によると、バルコニ１の床に降った雨水を排出するための樋部４０は、バルコニ１の床を形成しているデッキ部材２８に形成されているため、この樋部４０に清掃、除去すべきごみや異物等の清掃対象物が溜まっても、デッキ部材２８を清掃する作業と同様にしてこの清掃対象物を清掃、除去する作業を容易に行え、作業の容易化を図ることができる。
【００５８】
また、樋部４０はバルコニ１の床を形成しているデッキ部材２８に形成されているため、バルコニ１の桁梁部材１０に、バルコニ１の床よりも下側において、樋部材を設け、この樋部材からバルコニ１の妻梁部材１１に設けられた樋部材へ雨水等の水を流す場合と比較すると、本実施形態では、バルコニ１の床から桁梁部材１０に設けた樋部材へ水を流すという流水行程を省くことができ、また、これにより、バルコニ１の全体の雨仕舞い構造を簡単化することができる。
【００５９】
また、樋部４０はデッキ部材２８に上向きに開口した凹部として形成され、この凹部には、踏み付け可能な上面部４５Ａを備えた樋カバー４５が配設されているため、樋部４０が形成されている位置で立つことや歩行すること等が可能となり、この結果、バルコニ１の床を形成するデッキ部材２８に上向きに開口した凹部としての樋部４０を設けても、バルコニ１の有効面積を実質的に拡大することができる。
【００６０】
また、樋カバー４５の踏み付け可能な上面部４５Ａの高さ位置は、デッキ部材２８における樋部４０が形成されていない箇所の上面部２８Ｄと同一又は略同一であるため、樋カバー４５の上面部４５Ａと、デッキ部材２８の上面部２８Ｄとの間で大きな段差が生ぜず、このため、これらの間に跨る良好な歩行性を確保することができる。
【００６１】
さらに、樋カバー４５には水通過部となっている孔４６や切り欠き４７が形成されているため、樋部４０に樋カバー４５を配置しても、雨水はこれらの孔４６や切り欠き４７を通過して樋部４０に流入し、この樋部４０等を経て雨水をバルコニ１の外部に排出することができる。
【００６２】
また、樋カバー４５は樋部４０に取り外し可能に配置されているため、樋カバー４５を取り外すことにより、樋部４０に溜まって清掃対象物の清掃、除去作業を容易に行える。
【００６３】
さらに、樋部４０は、バルコニ１の床を形成しているデッキ部材２６〜２８のうち、この床の水勾配方向の最も下側に配置されたデッキ部材２８に形成されているため、バルコニ１の床に降った雨水やこの床にこぼした水を樋部４０に集めてバルコニ１の外部に排出できるとともに、それぞれのデッキ部材２６〜２８に凹部による樋部を設けた場合と比較し、バルコニ１の床の全体的な平坦性を確保することができる。
【００６４】
また、デッキ部材２８とバルコニ内外方向に隣接している桁梁部材１０には、バルコニ内側方向へ延設された水切り部材１０Ａが形成され、デッキ部材２８のバルコニ外側方向の先端部２８Ｇはこの水切り部１０Ａの下面に結合されているため、桁梁部材１０とデッキ部材２８との間の雨仕舞いが良好になり、桁梁部材１０の上や水切り部１０Ａの上に降った雨水を樋部４０へ導くことができる。
【産業上の利用可能性】
【００６５】
本発明、床がデッキ部材によって形成されるバルコニに利用することができる。
【図面の簡単な説明】
【００６６】
【図１】本発明の一実施形態に係るバルコニを示す側断面図である。
【図２】図１のＳ２−Ｓ２線断面図である。
【図３】図２の平面図である。
【図４】水勾配方向に並設された複数のデッキ部材のうち、水勾配方向の最も下側に配置されたデッキ部材及びその周辺を示す図１の一部拡大図である。
【符号の説明】
【００６７】
１  バルコニ
１０  バルコニ桁梁部材
１０Ａ  水切り部
１１  バルコニ妻梁部材
２６〜２８  デッキ部材
２８Ｄ  上面部
２８Ｇ  先端部
４０  上向きに開口した凹部による樋部
４５  樋カバー
４５Ａ  上面部
４６  水通過部である孔
４７  水通過部である切り欠き
【図１】
2006070520.tif 000003
【図２】
2006070520.tif 000004
【図３】
2006070520.tif 000005
【図４】
2006070520.tif 000006